(57)【要約】  システムは、プレート（２３５）と、プレート（２３５）に結合された１つ以上のトランスデューサ（２００）とを備える。１つ以上のトランスデューサ（２００）の各々は、プレート（２３５）から流体の液滴（２５０）を超音波で除去するために、伝播方向（２４０）にプレート（２３５）を通って伝播する超音波を発生するように動作可能である。プレート（２３５）は、超音波の経路内に配置された１つ以上の構造であって、伝播方向（２４０）とは反対の方向に伝播する所定量の超音波エネルギーを達成するためにプレート（２３５）内の超音波の伝播を制御するように構成された１つ以上の構造を備える。１つ以上の構造の各々の形状の１つ以上のパラメータの値は、この構造に入射する超音波に対して所定の効果を達成するように予め決定されている。【選択図】  図２Ａ
2019531201.tif 000002
【特許請求の範囲】
【請求項１】
第１の表面、前記第１の表面とは反対側を向いた第２の表面、および前記第１の表面と前記第２の表面との間に延在する少なくとも１つの縁部によって画定された塊体を有するプレートと、
前記プレートに結合された１つ以上のトランスデューサであって、前記１つ以上のトランスデューサの各々が、前記プレートから流体の液滴を超音波で除去するために、伝播方向に前記プレートを通って伝播する超音波を発生するように動作可能である１つ以上のトランスデューサと、
を備え、
前記プレートが、前記１つ以上のトランスデューサによって発生される超音波の経路内に配置された１つ以上の構造であって、前記１つ以上のトランスデューサによって発生される前記超音波の前記伝播方向とは反対の方向に伝播する所定量の超音波エネルギーを達成するために前記プレート内の超音波の伝播を制御するように構成された１つ以上の構造を備え、前記１つ以上の構造の各々の形状の１つ以上のパラメータの値が、前記構造に入射する超音波に対して所定の効果を達成するように予め決定されているシステム。
【請求項２】
前記１つ以上のパラメータが、以下のうちの任意の１つ以上、すなわち、
前記第１の表面および／または前記第２の表面に垂直な方向における前記構造の高さ、
前記１つ以上のトランスデューサによって発生される前記超音波の前記伝播方向に垂直な方向における前記構造の長さ、
前記１つ以上のトランスデューサによって発生される前記超音波が伝播する方向に沿った、前記１つ以上のトランスデューサからの前記構造の距離、
前記第１の表面および／または前記第２の表面に対する前記構造の角度、
前記１つ以上のトランスデューサによって発生される前記超音波が伝播する前記方向に対する前記構造の角度、
前記構造の表面の形状、
前記構造の表面の曲率
のうちの任意の１つ以上を含む、請求項１に記載のシステム。
【請求項３】
前記１つ以上の構造が、前記１つ以上の構造に入射する少なくとも一部の超音波エネルギーを散乱、吸収、および／または反射するように構成されている、請求項１または２に記載のシステム。
【請求項４】
前記１つ以上の構造が、前記プレートの材料における不連続部であって、実質的に前記第１の表面と前記第２の表面との間に延在し、前記１つ以上のトランスデューサによって発生される前記超音波の前記伝播方向に対して傾斜した方向に長さを有する不連続部を備える、請求項１〜３のいずれか一項に記載のシステム。
【請求項５】
前記不連続部が、以下のうちの１つ、すなわち、
前記プレートの縁部、
前記第１の表面と前記第２の表面との間で前記プレートを貫通する孔、
前記プレートの前記塊体中の空隙、
すぐ近傍の領域とは異なる材料特性を有する、前記プレートの前記塊体の領域
のうちの１つを含む、請求項３または４に記載のシステム。
【請求項６】
前記構造が、前記１つ以上のトランスデューサによって発生される前記超音波の前記伝播方向に垂直な方向の、前記プレートの長さと実質的に等しい、前記１つ以上のトランスデューサによって発生される前記超音波の前記伝播方向に垂直な前記方向の長さを有する、請求項１〜５のいずれか一項に記載のシステム。
【請求項７】
前記プレートが、第１の縁部と、前記第１の縁部とは反対側にある第２の縁部とを備え、前記１つ以上のトランスデューサが、前記第１の縁部の比較的近くかつ前記第２の縁部から比較的遠くで前記プレートに取り付けられており、前記第２の縁部に向かって主伝播方向に伝播する超音波を発生するように構成されている、請求項１〜６のいずれか一項に記載のシステム。
【請求項８】
前記１つ以上の構造が、少なくとも１つの吸収構造を備え、前記少なくとも１つの吸収構造が、前記第２の縁部にまたはその近くに配置されており、前記少なくとも１つの吸収構造がない場合に伝播するであろう反射超音波エネルギーの量と比較して、前記主伝播方向とは反対の方向に伝播する反射超音波エネルギーの量を低減するように構成されている、請求項７に記載のシステム。
【請求項９】
前記少なくとも１つの吸収構造が、所定量の入射超音波エネルギーを散乱するように構成されている、請求項８に記載のシステム。
【請求項１０】
散乱される入射超音波エネルギーの前記所定量が、前記プレート内における進行超音波に対する定在超音波の所定の比を達成するように設定されている、請求項９に記載のシステム。
【請求項１１】
前記少なくとも１つの吸収構造が、前記プレートの前記塊体中に複数の孔を備え、前記複数の孔が、実質的に前記第１の表面と前記第２の表面との間に延在する、請求項８〜１０のいずれか一項に記載のシステム。
【請求項１２】
前記複数の孔が、前記第２の縁部の近傍に所定のパターンで配置されている、請求項１１に記載のシステム。
【請求項１３】
前記少なくとも１つの吸収構造が、実質的に前記第１の表面と前記第２の表面との間に延在する、前記プレートの前記塊体中の不連続部を備え、前記不連続部が、前記不連続部と前記第１の縁部との間の前記伝播方向に沿った距離が、前記主伝播方向に垂直な軸線に沿って変化するように波形形状を有する、請求項８〜１０のいずれか一項に記載のシステム。
【請求項１４】
前記不連続部が、前記１つ以上のトランスデューサによって発生される超音波の入射角が、前記主伝播方向に垂直な方向の前記不連続部の長さに沿って変化するような形状を有する、請求項１３に記載のシステム。
【請求項１５】
前記不連続部が、前記プレートの前記第２の縁部を含む、請求項１３または１４に記載のシステム。
【請求項１６】
前記１つ以上のトランスデューサが、前記第１の縁部に向かって副伝播方向に伝播する超音波を発生するように構成されており、前記１つ以上の構造が、前記第１の縁部にまたはその近くに配置された少なくとも１つの増幅構造であって、前記少なくとも１つの増幅構造がない場合に伝播するであろう反射超音波エネルギーの量と比較して、前記副伝播方向とは反対の方向に伝播する反射超音波エネルギーの量を増大させるように構成された少なくとも１つの増幅構造を備える、請求項７〜１５のいずれか一項に記載のシステム。
【請求項１７】
前記少なくとも１つの増幅構造が、所定量の入射超音波エネルギーを反射するように構成されている、請求項７〜１６のいずれか一項に記載のシステム。
【請求項１８】
反射される入射超音波エネルギーの前記所定量が、前記少なくとも１つの増幅構造によって反射された超音波と、前記１つ以上のトランスデューサと前記第２の縁部との間で前記主伝播方向に前記プレート内を伝播する、前記１つ以上のトランスデューサによって発生された波との建設的干渉を達成するように設定されている、請求項１７に記載のシステム。
【請求項１９】
反射される入射超音波エネルギーの前記所定量が、前記１つ以上のトランスデューサと前記第２の縁部との間で前記主伝播方向に前記プレート内を伝播する所定の振幅の波を達成するように設定されている、請求項１７または１８に記載のシステム。
【請求項２０】
前記少なくとも１つの増幅構造が、実質的に前記プレートの前記第１の表面と前記第２の表面との間に延在する、前記プレートの前記塊体中の平面状の不連続部を備え、前記不連続部の平面が、前記副伝播方向に垂直であり、前記第１の表面および前記第２の表面の各々に垂直である、請求項１７〜１９のいずれか一項に記載のシステム。
【請求項２１】
前記不連続部が、前記プレートの前記第１の縁部を含む、請求項２０に記載のシステム。
【請求項２２】
前記１つ以上の構造が、前記１つ以上のトランスデューサと前記第２の縁部との間に配置された少なくとも１つのガイド構造であって、前記プレート内を伝播する超音波の伝播方向を変えるように構成された少なくとも１つのガイド構造を備える、請求項７〜２１のいずれか一項に記載のシステム。
【請求項２３】
前記少なくとも１つのガイド構造が、前記プレートの所定領域内を伝播する超音波の振幅が、前記所定領域の近傍の、前記プレートの領域内を伝播する超音波の振幅よりも大きくなるように前記所定領域で建設的干渉を引き起こすために前記所定領域に超音波を向けるように構成されている、請求項２２に記載のシステム。
【請求項２４】
前記少なくとも１つのガイド構造が、実質的に前記プレートの前記第１の表面と前記第２の表面との間に延在する、前記プレートの前記塊体中の不連続部を備える、請求項２２または２３に記載のシステム。
【請求項２５】
前記プレートが工作機械の窓を含み、前記流体が切削流体を含む、請求項１〜２４のいずれか一項に記載のシステム。
【請求項２６】
請求項１〜２５のいずれか一項に記載のシステムを備える工作機械。
【請求項２７】
第１の表面、前記第１の表面とは反対側を向いた第２の表面、および前記第１の表面と前記第２の表面との間に延在する少なくとも１つの縁部によって画定された塊体を有するプレートから流体を除去する方法であって、
前記プレートに結合された１つ以上の超音波トランスデューサを使用して前記プレート内に超音波を発生するステップであって、前記発生された超音波が伝播方向に前記プレート内を伝播するようにするステップと、
前記プレート内の超音波の伝播を制御して、前記伝播方向とは反対の方向に伝播する所定量の超音波エネルギーを達成するステップと、
を含む方法。
【請求項２８】
前記プレートの表面を横切って前記流体の液滴を推進するステップを含む、請求項２７に記載の方法。
【請求項２９】
前記プレートが、請求項１〜２５のいずれか一項に記載のプレートであり、前記超音波が、請求項１〜２５のいずれか一項に記載の装置を使用して発生され、前記超音波の伝播が、請求項１〜２５のいずれか一項に記載の１つ以上の構造を使用して制御される、請求項２７または２８に記載の方法。
【請求項３０】
プレートを用意する方法であって、前記プレートが、前記プレートから流体の液滴を超音波で除去するために前記プレートを通って伝播する超音波の経路内に配置される１つ以上の構造を有し、前記方法が、
前記構造に入射する超音波に対して所定の効果を達成するための、前記１つ以上の構造の各々の形状の１つ以上のパラメータの値、および
前記プレートを通って伝播する前記超音波の伝播方向とは反対の方向に伝播する所定量の超音波エネルギーを達成するための、前記１つ以上の構造の形態、
を決定するステップと、
第１の表面、前記第１の表面とは反対側を向いた第２の表面、および前記第１の表面と前記第２の表面との間に延在する少なくとも１つの縁部によって画定された塊体ならびに前記決定された値および形態による前記１つ以上の構造を有するプレートを用意するステップと、
を含む方法。
【請求項３１】
第１の表面、前記第１の表面とは反対側を向いた第２の表面、および前記第１の表面と前記第２の表面との間に延在する少なくとも１つの縁部によって画定された塊体を有する窓であって、
前記窓が、前記窓から流体の液滴を超音波で除去するために前記窓を通って伝播する超音波の経路内に配置された１つ以上の構造を備え、前記１つ以上の構造が、前記窓を通って伝播する前記超音波の伝播方向とは反対の方向に伝播する所定量の超音波エネルギーを達成するように構成されており、
前記１つ以上の構造の各々の形状の１つ以上のパラメータの値が、前記構造に入射する超音波に対して所定の効果を達成するように予め決定されている、
窓。
【発明の詳細な説明】
【技術分野】
【０００１】
本発明は、プレートと、プレートから流体の液滴を超音波で除去するための装置とを備えるシステムに関する。プレートは、例えば工作機械の窓であり得、流体は切削流体であり得る。
【背景技術】
【０００２】
工作機械は、切削工具を潤滑し冷却するために切削流体を使用する一方で、切削流体は、この工具によって成形されている金属加工物に作用する。削りくずとして知られている、加工物から削り取られた金属は、機械の操作者にとって危険である可能性があり、また切削工具は破損する危険性があり、これも操作者にとって危険である。操作者を保護するために、工作機械全体または少なくとも切削工具の周囲の領域がハウジングに入れられる。ハウジングには窓があるので、操作者は、切削作業の進行状況を確認することができる。しかしながら、切削流体が、ハウジングの内側で噴霧され、窓に付着すると、操作者の視界が遮られる。切削流体は、水および様々な添加剤または油および様々な添加剤を含み得る。
【０００３】
電気モータによって回転される円形ディスクの形態の窓を設けることが知られており、窓に付着した切削流体は、ディスクの回転によって跳ね飛ばされ、これにより、操作者により明瞭な視界が与えられる。一例では、円形フレームが、このディスクが固定されたモータを支持する。切削流体の漏れを防ぐために、このディスクの周囲はこのフレームにシールされる。このような窓は小さくて重くて複雑である。
【０００４】
したがって、国際公開第２０１５／０１１１２６号パンフレットでは、工作機械の窓から流体を除去するために超音波を使用することが提案されている。
【発明の概要】
【０００５】
本発明の一態様によれば、システムであって、第１の表面、第１の表面とは反対側を向いた第２の表面、および第１の表面と第２の表面との間に延在する少なくとも１つの縁部によって画定された塊体を有するプレートと、プレートに結合された１つ以上のトランスデューサであって、１つ以上のトランスデューサの各々が、プレートから流体の液滴を超音波で除去するために、伝播方向にプレートを通って伝播する超音波を発生するように動作可能である１つ以上のトランスデューサとを備えるシステムが提供される。プレートは、１つ以上のトランスデューサによって発生される超音波の経路内に配置された１つ以上の構造であって、１つ以上のトランスデューサによって発生される超音波の伝播方向とは反対の方向に伝播する所定量の超音波エネルギーを達成するためにプレート内の超音波の伝播を制御するように構成された１つ以上の構造を備える。１つ以上の構造の各々の形状の１つ以上のパラメータの値は、この構造に入射する超音波に対して所定の効果を達成するように予め決定されている。
【０００６】
任意選択で、１つ以上のトランスデューサは、プレートから流体の液滴を超音波で除去するための装置に含まれる。このような装置は、超音波駆動信号を１つ以上のトランスデューサに提供するための発生器をさらに備えてもよい。
【０００７】
任意選択で、１つ以上のパラメータは、以下のうちの任意の１つ以上、すなわち、第１の表面および／または第２の表面に垂直な方向における構造の高さ、１つ以上のトランスデューサによって発生される超音波の伝播方向に垂直な方向における構造の長さ、１つ以上のトランスデューサによって発生される超音波が伝播する方向に沿った、１つ以上のトランスデューサからの構造の距離、第１の表面および／または第２の表面に対する構造の角度、１つ以上のトランスデューサによって発生される超音波が伝播する方向に対する構造の角度、構造の表面の形状、構造の表面の曲率のうちの任意の１つ以上を含む。
【０００８】
任意選択で、１つ以上のトランスデューサは、プレートの表面に結合され、プレートの塊体を通って伝播する超音波を発生するように動作可能である。
【０００９】
任意選択で、１つ以上の構造は、１つ以上の構造に入射する少なくとも一部の超音波エネルギーを散乱、吸収、および／または反射するように構成される。
【００１０】
任意選択で、１つ以上の構造は、プレートの材料における不連続部であって、実質的に第１の表面と第２の表面との間に延在し、１つ以上のトランスデューサによって発生される超音波の伝播方向に対して傾斜した方向に長さを有する不連続部を備える。不連続部は、伝播方向に垂直な方向に長さを有してもよい。不連続部の形状の１つ以上のパラメータの値は、例えば、１つ以上の構造に入射する超音波に対して所定の効果を達成するように予め決定されてもよい。不連続部は、例えば以下のうちの１つ、すなわち、プレートの縁部、第１の表面と第２の表面との間でプレートを貫通する孔、プレートの塊体中の空隙、すぐ近傍の領域とは異なる材料特性を有する、プレートの塊体の領域のうちの１つを含んでもよい。
【００１１】
任意選択で、この構造は、１つ以上のトランスデューサによって発生される超音波の伝播方向に垂直な方向の、プレートの長さと実質的に等しい、１つ以上のトランスデューサによって発生される超音波の伝播方向に垂直な方向の長さを有する。
【００１２】
任意選択で、プレートは、第１の縁部と、第１の縁部とは反対側にある第２の縁部とを備え、１つ以上のトランスデューサは、第１の縁部の比較的近くかつ第２の縁部から比較的遠くでプレートに取り付けられ、第２の縁部に向かって主伝播方向に伝播する超音波を発生するように構成される。
【００１３】
任意選択で、１つ以上の構造は、少なくとも１つの吸収構造を備え、少なくとも１つの吸収構造は、第２の縁部にまたはその近くに配置され、少なくとも１つの吸収構造がない場合に伝播するであろう反射超音波エネルギーの量と比較して、主伝播方向とは反対の方向に伝播する反射超音波エネルギーの量を低減するように構成される。少なくとも１つの吸収構造は、例えば、所定量の入射超音波エネルギーを散乱するように構成されてもよい。散乱される入射超音波エネルギーの所定量は、例えば、プレート内における進行超音波に対する定在超音波の所定の比を達成するように設定されてもよい。
【００１４】
任意選択で、少なくとも１つの吸収構造は、プレートの塊体中に複数の孔を備え、これらの孔は、実質的に第１の表面と第２の表面との間に延在する。これらの孔は、例えば、第２の縁部の近傍に所定のパターンで配置されてもよい。
【００１５】
任意選択で、少なくとも１つの吸収構造は、実質的に第１の表面と第２の表面との間に延在する、プレートの塊体中の不連続部を備える。このような不連続部は、例えば、不連続部と第１の縁部との間の、伝播方向に沿った距離が主伝播方向に垂直な軸線に沿って変化するように波形形状を有してもよい。不連続部は、例えば、１つ以上のトランスデューサによって発生される超音波の入射角が主伝播方向に垂直な方向の、不連続部の長さに沿って変化するような形状を有してもよい。任意選択で、不連続部はプレートの第２の縁部を含む。
【００１６】
任意選択で、１つ以上のトランスデューサは、第１の縁部に向かって副伝播方向に伝播する超音波を発生するように構成され、１つ以上の構造は、第１の縁部にまたはその近くに配置された少なくとも１つの増幅構造であって、少なくとも１つの増幅構造がない場合に伝播するであろう反射超音波エネルギーの量と比較して、副伝播方向とは反対の方向に伝播する反射超音波エネルギーの量を増大させるように構成された少なくとも１つの増幅構造を備える。少なくとも１つの増幅構造は、例えば、所定量の入射超音波エネルギーを反射するように構成されてもよい。反射される入射超音波エネルギーの所定量は、少なくとも１つの増幅構造によって反射された超音波と、１つ以上のトランスデューサと第２の縁部との間で主伝播方向にプレート内を伝播する、１つ以上のトランスデューサによって発生された波との建設的干渉を達成するように設定されてもよい。反射される入射超音波エネルギーの所定量は、例えば、１つ以上のトランスデューサと第２の縁部との間で主伝播方向にプレート内を伝播する所定の振幅の波を達成するように設定されてもよい。
【００１７】
任意選択で、少なくとも１つの増幅構造は、実質的にプレートの第１の表面と第２の表面との間に延在する、プレートの塊体中の平面状の不連続部を備え、不連続部の平面は、副伝播方向に垂直であり、第１の表面および第２の表面の各々に垂直である。任意選択で、不連続部はプレートの第１の縁部を含む。
【００１８】
任意選択で、１つ以上の構造は、１つ以上のトランスデューサと第２の縁部との間に配置された少なくとも１つのガイド構造であって、プレート内を伝播する超音波の伝播方向を変えるように構成された少なくとも１つのガイド構造を備える。少なくとも１つのガイド構造は、例えば、プレートの所定領域内を伝播する超音波の振幅が所定領域の近傍の、プレートの領域内を伝播する超音波の振幅よりも大きくなるように所定領域で建設的干渉を引き起こすために所定領域に超音波を向けるように構成されてもよい。任意選択で、少なくとも１つのガイド構造は、実質的にプレートの第１の表面と第２の表面との間に延在する、プレートの塊体中の不連続部を備える。
【００１９】
任意選択で、１つ以上のトランスデューサは、３００ｋＨｚから５ＭＨｚの範囲の所定の周波数でプレート内に超音波を発生するように動作可能であり、発生器は、所定の周波数に関して超音波駆動信号を１つ以上のトランスデューサに提供するように動作可能である。
【００２０】
任意選択で、装置は、プレート内に発生される波がラム波を含むように構成される。
【００２１】
任意選択で、発生器は、超音波駆動信号をトランスデューサにパルスで印加するように構成される。
【００２２】
任意選択で、プレートは工作機械の窓を含み、流体は切削流体を含む。
【００２３】
本発明の第２の態様は、第１の態様によるシステムを備える工作機械を提供する。
【００２４】
本発明の第３の態様は、第１の表面、第１の表面とは反対側を向いた第２の表面、および第１の表面と第２の表面との間に延在する少なくとも１つの縁部によって画定された塊体を有するプレートから流体を除去する方法を提供する。本方法は、プレートに結合された１つ以上の超音波トランスデューサを使用してプレート内に超音波を発生するステップであって、発生された超音波が伝播方向にプレート内を伝播するようにするステップと、プレート内の超音波の伝播を制御して、伝播方向とは反対の方向に伝播する所定量の超音波エネルギーを達成するステップとを含む。
【００２５】
任意選択で、本方法は、プレートの表面を横切って流体の液滴を推進するステップを含む。
【００２６】
任意選択で、プレートは、第１の態様のプレートであり、超音波は、第１の態様の装置を使用して発生され、超音波の伝播は、第１の態様の１つ以上の構造を使用して制御される。
【００２７】
本発明の第４の態様は、システムであって、第１の表面、第１の表面とは反対側を向いた第２の表面、および第１の表面と第２の表面との間に延在する少なくとも１つの縁部によって画定された塊体を有するプレートと、プレートに結合可能である１つ以上のトランスデューサであって、１つ以上のトランスデューサの各々が、プレートから流体の液滴を超音波で除去するために、伝播方向にプレートを通って伝播する超音波を発生するように動作可能である１つ以上のトランスデューサとを備えるシステムを提供する。プレートは、１つ以上のトランスデューサによって発生される超音波の経路内に配置された１つ以上の構造であって、１つ以上のトランスデューサによって発生される超音波の伝播方向とは反対の方向に伝播する所定量の超音波エネルギーを達成するためにプレート内の超音波の伝播を制御するように構成された１つ以上の構造を備える。１つ以上の構造の各々の形状の１つ以上のパラメータの値は、この構造に入射する超音波に対して所定の効果を達成するように予め決定されている。
【００２８】
本発明の第５の態様は、プレートから流体の液滴を超音波で除去するためにプレートを通って伝播する超音波の経路内に配置された１つ以上の構造を有するプレートを用意する方法を提供する。本方法は、この構造に入射する超音波に対して所定の効果を達成するための、１つ以上の構造の各々の形状の１つ以上のパラメータの値およびプレートを通って伝播する超音波の伝播方向とは反対の方向に伝播する所定量の超音波エネルギーを達成するための、１つ以上の構造の形態を決定するステップを含む。本方法は、第１の表面、第１の表面とは反対側を向いた第２の表面、および第１の表面と第２の表面との間に延在する少なくとも１つの縁部によって画定された塊体ならびに決定された値および形態による１つ以上の構造を有するプレートを用意するステップを含む。
【００２９】
本発明の第６の態様は、プレートから流体の液滴を超音波で除去するためにプレートを通って伝播する超音波の経路内に配置された１つ以上の構造の各々の形状の１つ以上のパラメータの値を決定するステップを含む方法を提供する。１つ以上のパラメータの値は、この構造に入射する超音波に対して所定の効果を達成するように決定される。本方法は、プレートを伝播する超音波の伝播方向とは反対の方向に伝播する所定量の超音波エネルギーを達成するための、１つ以上の構造の形態を決定するステップであって、第１の表面、第１の表面とは反対側を向いた第２の表面、および第１の表面と第２の表面との間に延在する少なくとも１つの縁部によって画定された塊体ならびに決定された値および形態による１つ以上の構造を有するプレートが用意され得るようにするステップを含む。
【００３０】
本発明の第７の態様は、第１の表面、第１の表面とは反対側を向いた第２の表面、および第１の表面と第２の表面との間に延在する少なくとも１つの縁部によって画定された塊体を有する窓を提供する。窓は、窓から流体の液滴を超音波で除去するために窓を通って伝播する超音波の経路内に配置された１つ以上の構造を備え、１つ以上の構造は、窓を通って伝播する超音波の伝播方向とは反対の方向に伝播する所定量の超音波エネルギーを達成するように構成される。１つ以上の構造の各々の形状の１つ以上のパラメータの値は、この構造に入射する超音波に対して所定の効果を達成するように予め決定されている。
【００３１】
いくつかの例の様々な特徴および利点は、ほんの一例として多数の特徴を一緒に示す添付の図面と併せて、以下の説明から明らかになる。
【図面の簡単な説明】
【００３２】
【図１】プレート上の切削流体の液滴を通る超音波を放射するトランスデューサを一例として示す概略図である。
【図２Ａ】プレートと、プレートから流体の液滴を超音波で除去するための装置とを備える例示的なシステムの概略図である。
【図２Ｂ】図２Ａのプレートの縁部の一部の概略図である。
【図２Ｃ】プレートと、プレートから流体の液滴を超音波で除去するための装置とを備えるさらなる例示的なシステムの概略図である。
【図２Ｄ】プレートと、プレートから流体の液滴を超音波で除去するための装置とを備えるさらなる例示的なシステムの概略図である。
【図２Ｅ】図２Ｄのプレートの縁部の一部の概略図である。
【図３】プレートと、プレートから流体の液滴を超音波で除去するための装置とを備えるさらなる例示的なシステムの概略図である。
【図４】プレートから流体を除去するための例示的な方法を示すフローチャートである。
【図５】本発明の例を組み込んだ、工作機械の窓の例である。
【発明を実施するための形態】
【００３３】
以下の開示は、プレート（または材料のシート）とプレートから流体の液滴を超音波で除去するための装置とを備える例示的なシステムを説明する。例では、この装置は、プレートに結合された１つ以上のトランスデューサであって、各々が、プレートを通って伝播する超音波を発生するように動作可能である１つ以上のトランスデューサと、超音波駆動信号を１つ以上のトランスデューサに提供するための発生器とを備える。例では、プレートは、１つ以上のトランスデューサによって発生される超音波の経路内に配置される１つ以上の構造を備え得る。１つ以上の構造は、例えば、１つ以上のトランスデューサによって発生される超音波の伝播方向とは反対の方向に伝播する所定量の超音波エネルギーを達成するために、プレート内の超音波の伝播を制御するように構成され得る。したがって、この構造は、好適には、プレート内を伝播する超音波の特定の局面またはパラメータを、この構造が存在しない状況と比較して変更または修正することを可能にし得る。例えば、１つ以上の構造は、超音波が持つエネルギーを増大させ、超音波を選択領域に集束させ、および／または定在波の形成を最小限に抑えるもしくは防止するように構成され得る。本明細書に記載の例は、好適には、例えば工作機械の窓から流体を超音波で除去するためのシステムによって実施され得る。
【００３４】
例示的な工作機械の窓は、透明材料のプレート、例えば、強化ガラスであってもよいガラスを含む。窓から切削流体の液滴を除去することは、超音波を使用する、例えば本明細書に記載の例示的な装置を使用する、本発明の例によって達成され得る。このような例示的な装置は、一般に、プレートに固定された１つ以上の圧電トランスデューサと、超音波をプレートに印加するためにトランスデューサを動作させるための回路とを備え得る。例示的な装置は、ガラスの最上層と最下層との間に挟まれたラミネート層を含む乗り物の窓などの他の種類のプレートから流体を除去するためにも使用され得る。
【００３５】
例によってきれいにされるべきプレートの表面は、例えば、プレート上の流体付着物とプレート表面との間の表面張力を修正する任意選択のコーティングを塗布することによって処理されてもよい。このようなコーティングは流体をはじきやすくてもよい。例えば、コーティングは表面張力を低下させてもよい。水性流体に対しては、疎水性コーティングを使用してもよい。
【００３６】
「超音波」または「超音波で」という用語は、超音波周波数を有する波を指すために使用される。超音波周波数は、人間の聴覚の可聴上限（約２０キロヘルツ（ｋＨｚ））より高い任意の周波数であり得る。本開示のシステムは、任意の超音波周波数を用い得る。本明細書に記載の一部の例示的なシステムは、１００ｋＨｚから５０メガヘルツ（ＭＨｚ）以上の範囲内の１つ以上の超音波周波数を用い得る。本明細書に記載の一部の例示的なシステムは、３００ｋＨｚから５ＭＨｚの範囲内の１つ以上の周波数を用い得る。超音波は、信号発生器に結合されたトランスデューサから放射される。発生器は、超音波周波数の電気信号をトランスデューサに提供するように構成された信号発生器であり得る。トランスデューサは、発生器からの超音波信号に基づいて超音波を発生するために駆動されるように構成される。本明細書に記載の例示的なシステムに含まれる信号発生器は、当技術分野で知られている任意の適切な設計のものであってもよい。
【００３７】
本明細書に記載のいくつかの例では、トランスデューサは、１つ以上の超音波周波数で波を放射することができるように構成される。プレートをきれいにすることは、１つ以上のトランスデューサを使用して達成され得る。本明細書に記載の１つ以上のトランスデューサの各々は、複数の電極を備える。各トランスデューサは、（例えば、電極の選択された数、サイズ、および間隔を有することによって）所定の周波数または周波数範囲で動作するように構成される。本明細書に記載の例示的なシステムに含まれるトランスデューサは、当技術分野で知られている任意の適切な設計のもの（例えば、圧電トランスデューサなど）であってもよい。
【００３８】
本明細書を通して使用される「１つの（ａ）」、「１つの（ｏｎｅ）」、または「単一の（ｓｉｎｇｌｅ）」周波数という用語は、トランスデューサから放射される中心周波数または主周波数に関するものとして解釈されるべきである。なぜなら、中心周波数の周りに帯域幅を有する周波数帯域が放射されるからである。
【００３９】
本発明による例示的なシステムによって放射される超音波は、プレートを通って伝播することができる任意の種類の超音波を含んでもよく、一部の例では、異なる波の種類の組み合わせを含んでもよい。所与の例において放射される超音波の波の種類は、プレートの厚さなどの、特定のプレートの特性に依存し得る。プレートを通って伝播し得る異なる波の種類の例としては、表面弾性波、レイリー波、ラム波、およびプレート波が挙げられる。
【００４０】
本発明による例示的なシステムは、流体液滴の霧化、推進、もしくは振動またはこれらの機序の任意の組み合わせを行うために超音波を使用することによってプレートの表面から流体を除去し得る。例えば、流体液滴は、プレートの表面から完全にまたは部分的に除去するために霧化されてもよい。部分的に霧化される場合、液滴の残りの部分は、推進および／または振動によって除去されてもよい。例えば、流体の液滴は、プレートの縁部に向けて液滴を移動させるためにプレートの表面に沿って推進されてもよい。
【００４１】
次に、いくつかの例が、図を参照して説明される。特定の特徴に対しての、一組の図中での同じ参照番号の使用は、同じ特徴に関する。
【００４２】
図１は、第１の表面１３６、第１の表面とは反対側を向いた第２の表面１３７、および第１の表面と第２の表面との間に延在する少なくとも１つの縁部（図示せず）によって画定された塊体を有するプレート１３５を備える例示的なシステムを示す。このシステムは、プレート１３５から流体の液滴を超音波で除去するための装置をさらに備える。この装置は、プレート１３５を通って伝播する超音波を発生するように動作可能である、プレート１３５に結合されたトランスデューサ１００（装置１００に含まれる複数のトランスデューサのうちの１つであり得る）と、超音波駆動信号をトランスデューサ１００に提供するための発生器（図示せず）とを備える。トランスデューサは、矢印１４５によって示される方向に超音波１４０を放射するように構成される。流体の液滴１５０（例えば切削流体）が、プレート１３５の第１の表面１３６上に存在する。
【００４３】
トランスデューサ１００は、トランスデューサ１００をプレート１３５の表面に取り付けることによってプレート１３５に結合される。プレート１３５が工作機械の窓を含む例では、トランスデューサ１００は、ハウジングの内側で窓に、すなわち、切削流体によって濡れる、窓の面に取り付けられる。しかしながら、窓が十分に薄い場合は、ハウジングの外側でトランスデューサ１００を窓に取り付けることも可能である。これは、トランスデューサ１００が切削流体との接触による損傷から保護されるので望ましい場合がある。
【００４４】
トランスデューサ１００をプレート表面に取り付けることは、トランスデューサをプレート表面に化学的に接着または物理的に固定することによって達成され得る。適切な接着剤は商業的に入手可能であり得、例えばこれとしてエポキシ樹脂を挙げることができる。使用中に、接着剤は、トランスデューサ１００とプレート表面との間に接着層１３０を形成する。この接着層１３０は、薄くてもよく、均一な厚さを有してもよく、例えば真空条件下で形成されて気泡を含まなくされてもよい。トランスデューサ１００が圧電トランスデューサを備える例では、トランスデューサ１００は、その電極がプレート表面に面するようにプレート１３５に取り付けられてもよく、あるいはその電極がプレート表面とは反対側を向くように取り付けられてもよい。プレート１３５に面する電極を有することにより、プレート１３５に印加される波エネルギーは増大するが、電極への電気的接続を設ける困難も増大する。
【００４５】
本明細書に記載の例では、トランスデューサ１００は、任意の超音波周波数で動作するように構成されてもよい（または構成可能であってもよい）。一部の例では、トランスデューサ１００は、２００ｋＨｚから５ＭＨｚの範囲の周波数を有する超音波を放射するように構成される。一部の例では、トランスデューサは、５００ｋＨｚから５ＭＨｚの範囲の周波数を有する超音波を放射するように構成される。図１の例は、プレート表面に結合されたただ１つのトランスデューサ１００を示しているが、任意の数のトランスデューサがプレート表面に結合されてもよい。１つ以上のトランスデューサは、プレート１３５の縁部の近くまたはプレートの外周領域に結合されてもよい。一部の例では、複数のトランスデューサが、プレート１３５の縁部から所定の距離を置いてプレート１３５の縁部と平行に一列に配置される。
【００４６】
トランスデューサ１００によって放射された超音波１４０は、流体の液滴１５０に向かって、プレート１３５を通って伝播する。超音波１４０は、プレート１３５の第１の表面１３６に結合され、これにより、超音波１４０が流体の液滴１５０に到達すると、超音波１４０は、流体の液滴１５０を「捕捉（ｓｅｅ）」し、エネルギーが、超音波１４０から流体の液滴１５０に伝達されることになる。
【００４７】
一般に、高周波超音波は、低周波超音波よりも多くのエネルギーを有する。したがって、所与のプレート／装置システムに関連する最小霧化周波数であって、そのシステムにおいてプレート上の液滴の霧化が達成可能であることを表す最小霧化周波数が存在する。最小霧化周波数未満では、超音波は、プレート上の液滴を霧化するのに十分なエネルギーを有し得ない。しかしながら、超音波は、プレート表面に沿って液滴を推進するのに十分なエネルギーを有し得る。所与のプレート／装置システムに関連する最小推進周波数であって、そのシステムにおいて液滴の推進が達成可能であることを表す最小推進周波数も存在する。しかしながら、流体の液滴の振動は、いずれにせよ最小推進周波数未満の何らかの周波数でも可能である。このシステムには、プレート上の液滴の振動が達成可能である最低周波数を表す最小振動周波数も存在し得る。
【００４８】
最小霧化周波数、最小推進周波数、および最小振動周波数は、プレート上の流体の液滴のサイズおよび／または組成に依存し得る。例えば、より小さな液滴は、より大きな液滴よりも大きな表面積対体積比を有し、したがって、より小さな液滴はより大きな表面張力を有する。これは、液滴が、推進または霧化が達成され得る前に表面張力に打ち勝つために（より高い超音波周波数からの）より大量のエネルギーを必要とすることを意味する。したがって、より大きな液滴と比較して、より小さな液滴の霧化および推進を行うためには、より高い超音波周波数が必要とされ得る。
【００４９】
図１の図示の例では、流体の液滴１５０は、霧化、推進、振動、またはこれらの機序の任意の組み合わせによって除去されてもよい。例えば、液滴１５０は、プレート１３５の表面から液滴１５０を完全にまたは部分的に取り除くために霧化されてもよい。部分的に霧化される場合、液滴１５０の残りの部分は、推進および／または振動によって除去されてもよい。例えば、流体の液滴１５０は、プレート１３５の縁部に向けて液滴１５０を移動させるためにプレート１３５の表面に沿って推進されてもよい。場合によっては、プレートから液滴を除去するのに、霧化なしでも推進のみ、振動のみ、または推進と振動との組み合わせで十分であり得る。
【００５０】
図１に示す装置の動作中、トランスデューサ１００から放射された超音波１４０は、矢印１４５によって示される方向にプレート１３５内を伝播する。プレート表面に存在する液滴１５０に、プレート１３５を通って伝播する超音波１４０が当たる。これにより、例えば超音波１４０のモード変換によって、超音波１４０からエネルギーが液滴１５０に伝達される。これにより、縦波が液滴１５０内に伝達される。縦波は、液滴１５０の内面に圧力を加える効果を有する。
【００５１】
モード変換された縦波によって液滴１５０の内面に加えられた圧力は、超音波１４０の伝播方向と同じ方向にプレート表面に沿って液滴１５０を推進する。液滴１５０がプレート表面に沿って推進されるとき、液滴１５０の形状は、対称形状（図示せず）から図１に示す形状などの非対称形状に変化し得る。例えば、図１に示すように、液滴１５０は、後端１７０および前縁１７５を有するように形状を変化させ得る。後端１７０および前縁１７５は、プレート表面に対して異なる接触角を有し得る。例えば、後端１７０は、プレート表面に対して、前縁１７５と比較してより大きな接触角を有し得る。
【００５２】
図１の例は、超音波１４０が伝播するプレート１３５を無限であるかのように扱っている。しかしながら、実際には、プレート１３５は、プレート１３５内の超音波の伝播に影響を及ぼす縁部を有する。特に、任意の所与のプレートは、第１の表面、第１の表面とは反対側を向いた第２の表面、および第１の表面と第２の表面の間に延在する少なくとも１つの縁部によって画定された塊体を有する備えるプレートによって画定された塊体を有すると考えられてもよい。プレートが四面窓である例では、プレートは、第１の表面、第１の表面とは反対側を向きかつこれと平行である第２の表面、および第１の表面と第２の表面との間に延在する２対の互いに対向する縁部によって画定された塊体を有する。
【００５３】
このようなプレートを通って伝播する超音波が縁部に当たると、波エネルギーの少なくとも一部が、縁部によって反射される。縁部が超音波の伝播方向に垂直である場合、反射波は、トランスデューサに向かって反射して戻る。反射波は、トランスデューサによって放射された出て行く波と相互作用する。このような相互作用は、例えば、建設的干渉もしくは相殺的干渉または建設的干渉と相殺的干渉との組み合わせを含み得る。建設的干渉は、プレート内を伝播する超音波の振幅を増大させることができ、したがって、これらの超音波が持つエネルギーを増大させることができる。これは、例えば、プレート上の液滴に伝達されるエネルギーを増大させ、これにより、そうでない場合に可能であるものに比べて比較的低い超音波周波数での液滴の霧化および／または推進を可能にするのに好適であり得る。相殺的干渉は、反対の効果を有し得、したがって、相殺的干渉を引き起こす反射を最小限に抑えることが望ましい場合がある。
【００５４】
状況によっては、出て行く超音波と反射超音波との干渉は、プレート内に定在超音波を生成し得る。プレート表面に沿った液滴の推進は、超音波がプレートを通って伝わることを必要とする（そのとき、プレート上の液滴は、超音波が伝わる方向に推進される）。定在波の存在は、出て行く超音波によるプレート表面に沿った液滴の推進を妨害または阻止し得る。なぜなら、例えば、所与の液滴が、定在波の節で停止し得るからである。したがって、プレート内に定在波を発生させる反射を最小限に抑えることが望ましい場合がある。
【００５５】
プレート内の超音波の伝播は、超音波の経路内に１つ以上の適切に構成された構造を設けることによって制御され得る。このような構造は、その形態に応じて入射超音波を反射、散乱、および／または吸収し得る。それによって、このような構造は、プレートに結合された１つ以上のトランスデューサによって発生される超音波の伝播方向とは反対の方向に伝播する所定量の超音波エネルギーを達成するように構成されてもよい。
【００５６】
図２Ａは、第１の表面２３０、第１の表面とは反対側を向いた第２の表面（見えない）、および第１の表面と第２の表面との間に延在する少なくとも１つの縁部２６０によって画定された塊体を有するプレート２３５を備える例示的なシステムを示す。少なくとも１つの縁部２６０は、第１の縁部２６０ａと、第１の縁部２６０ａとは反対側にある第２の縁部２６０ｂと、一対の互いに対向する側縁部２６０ｃおよび２６０ｄとを含む。プレート２３５は、上述の例示的なプレートの特徴のうちのいずれかを有してもよい。
【００５７】
このシステムは、プレートから流体の液滴２５０を超音波で除去するための装置をさらに備える。この装置は、プレートに結合された１つ以上のトランスデューサ２００であって、１つ以上のトランスデューサ２００の各々が、プレート２３５を通って伝播する超音波を発生するように動作可能である１つ以上のトランスデューサ２００と、超音波駆動信号を１つ以上のトランスデューサ２００に提供するための発生器（図示せず）とを備える。図示の例では、１つ以上のトランスデューサ２００は、第１の縁部２６０ａの近傍に第１の縁部２６０ａと平行に一列に配置された３つのトランスデューサ２００を備える。１つ以上のトランスデューサは、第１の縁部２６０ａの比較的近くかつ第２の縁部２６０ｂから比較的遠くでプレートに取り付けられる。トランスデューサ２００は、少なくともトランスデューサ２００と縁部２６０ｂとの間の領域において、第２の縁部２６０ｂに向かって伝播方向２４０にプレート２３５を通って伝播する超音波を発生するように構成される。一部の例では、トランスデューサは、トランスデューサ２００と第１の縁部２６０ａとの間の領域において、伝播方向２４０（このような例では主伝播方向と呼ばれる場合がある）とは反対の副伝播方向にプレート２３５を通って伝播する超音波をさらに発生するように構成されてもよい。この装置は、上述の例示的な装置の特徴のうちのいずれかを有してもよい。
【００５８】
プレート２３５は、トランスデューサ２００によって発生される超音波の経路内に配置される１つ以上の構造であって、１つ以上のトランスデューサによって発生される超音波の伝播方向とは反対の方向に伝播する所定量の超音波エネルギーを達成するためにプレート内の超音波の伝播を制御するように構成される１つ以上の構造を備える。図示の例では、１つ以上の構造は、第２の縁部２６０ｂに含まれ、第２の縁部２６０ｂは、入射超音波の所定の部分を散乱するように構成される形状を有する。
【００５９】
図示の例では、第２の縁部２６０ｂは（湾曲しておらず）平坦である。本明細書で言及される「平坦な」縁部は、第１の縁部と第２の縁部との間の線に沿った断面でプレートを見たときに直線として見える。対照的に、湾曲した縁部は、このような断面では曲線として見える。特定の例の第２の縁部２６０ｂは、プレート２３５の第１の表面２３０および第２の表面に垂直である（すなわち、第２の縁部２６０ｂは第１の表面および第２の表面の各々と直角に交わる）。しかしながら、他の例では、第２の縁部２６０ｂは、プレートの第１の表面および第２の表面に対して傾けられてもよい。このような一例では、第２の縁部２６０ｂは、第１の表面と鋭角で交わってもよく、第２の表面と鈍角で交わってもよい。
【００６０】
第１の表面２３０の平面（および第２の表面の平面）において、縁部２６０ｂは、第２の縁部２６０ｂと第１の縁部２６０ａとの間の伝播方向２４０に沿った距離が伝播方向に垂直な軸線に沿って変化するように波形形状を有する。縁部２６０ｂの波形形状により、トランスデューサ２００によって発生される超音波の、縁部２６０ｂへの入射角が伝播方向２４０に垂直な軸線に沿って変化することになる。波が界面または不連続部（縁部２６０ｂなど）に直角に当たると、波の大部分または全部が反対方向に反射して戻る。しかしながら、波が法線に対して鋭角で界面に当たる（すなわち、その入射角ｉは９０°＞ｉ＞０°である）と、波は、法線に対してある角度で反射する。
【００６１】
第２の縁部２６０ｂの波形形状の効果は、その幅の大部分にわたって、出て行く超音波面が鋭角の入射角で縁部２６０ｂに当たることである。波面形状の最低点および最高点においてのみ、超音波波面は、縁部２６０ｂに直角に当たる。このため、第２の縁部２６０ｂに入射する波エネルギーの大部分は散乱し、トランスデューサ２６０ｂに戻らない。伝播方向とは反対の方向に反射して戻る入射超音波エネルギーの量は、通常のプレート縁部の場合よりも著しく少ない。言い換えれば、第２の縁部２６０ｂは、第２の縁部が第２の縁部２６０ｂの特定の形態を有さない場合に伝播するであろう反射超音波エネルギーの量と比較して、主伝播方向とは反対の方向に伝播する反射超音波エネルギーの量を低減するように構成される。したがって、第２の縁部２６０ｂは、吸収構造であると考えられてもよい。なぜなら、第２の縁部２６０ｂは、そうでなければトランスデューサ２００に向かって反射して戻るであろう、第２の縁部２６０ｂに入射する超音波エネルギーの少なくとも一部を効果的に「吸収する」からである。
【００６２】
第２の縁部２６０ｂによって伝播方向とは反対の方向に反射して戻る入射超音波エネルギーの量は、厳密な波形形状に依存する。したがって、この量は、波形形状の様々なパラメータの値を設定することによって選択または制御され得る。波形形状の制御可能なパラメータは、図２Ｂに示されており、波形高さＨ、波長Ｌ、半径Ｒ、および傾斜角αを含む。
【００６３】
波形形状のパラメータは、所定量の入射超音波エネルギーが第２の縁部２６０ｂによって吸収される（例えば散乱によって）ように設定されてもよい。吸収構造に当たった後にトランスデューサに直接戻らない波エネルギーは、その構造によって吸収されたと考えられる。一部の例では、吸収される入射超音波エネルギーの所定量は、プレート内における進行超音波に対する定在超音波の所定の比を達成するように設定される。
【００６４】
この構造に入射する超音波に対して所定の効果を達成するように予め決定され得る、縁部または他の種類の吸収構造の形状の他のパラメータとしては、第１の表面および／または第２の表面に垂直な方向における不連続部の高さ、１つ以上のトランスデューサによって発生される超音波の伝播方向に垂直な方向における不連続部の長さ、１つ以上のトランスデューサによって発生される超音波が伝播する方向に沿った、１つ以上のトランスデューサからの不連続部の距離、第１の表面および／または第２の表面に対する不連続部の角度、１つ以上のトランスデューサによって発生される超音波が伝播する方向に対する不連続部の角度、不連続部の表面の形状、ならびに不連続部の表面の曲率が挙げられる。
【００６５】
縁部２６０ｂは、任意の所与の実施態様においてプレート２３５を構成する種類の材料を正確に切断するのに適した任意の既知の切断技術を使用してプレート２３５の縁部を切断することによって形成されてもよい。
【００６６】
縁部２６０ｂは、プレートの上面と下面との間に完全に延在する、プレートの塊体における不連続部であると考えられてもよい。プレートの上面と下面との間に完全には延在しない１つ以上の不連続部がプレートの塊体に存在することも可能である。このような不連続部は、例えば、隣接する領域とは異なる材料特性を有する塊体の領域を含んでもよく、これにより、その領域と、隣接する領域との間には、超音波の伝播を反射する、散乱する、またはこれに作用することができる界面が存在するようになる。一例では、第１の領域は結晶構造を有してもよく、第２の領域は非晶質構造を有してもよく、またはその逆も可能である。不連続部は、プレートの塊体を形成する材料中の空隙を含んでもよい。不連続部は、プレートの塊体を形成する材料中の含有物（すなわち、一片の異なる材料）を含んでもよい。
【００６７】
実質的にプレートの上面と下面との間に延在する不連続部は、プレートの上面と下面との間に完全に延在する不連続部と同等にまたは同様に、プレートを通って伝播する波に影響を及ぼし得る。本開示の目的のために、プレート内を伝播する入射超音波に対する効果の差が上面と下面との間に完全に延在する不連続部によって生じる効果と比較して無視できる状態がプレートの十分な厚さに及ぶ場合、不連続部は実質的に上面と下面との間に延在すると考えられる。
【００６８】
したがって、波形縁部２６０ｂと同等の効果を有する構造は、実質的にプレートの上面と下面との間に延在するが、プレートの上面と下面との間に完全には延在しない波形形状の不連続部をプレート材料の塊体に形成することによって形成され得る。図２Ｃは、プレート２３５がプレート２３５’に置き換えられた図２Ｂのシステムを示す。プレート２３５’の第２の縁部２６０ｂ’は、特別な構造を有さない通常のプレート縁部（すなわち、所与の実施態様で使用されている特定の材料の種類のプレート用の標準的な製造プロセスからもたらされる縁部）である。
【００６９】
プレート２３５’は、実質的に第１の表面と第２の表面との間に延在し、かつトランスデューサによって発生される超音波の伝播方向に垂直な方向に長さを有する不連続部２７０を第２の縁部２６０ｂ’の近くに含む。一部の例では、不連続部２７０は、第１の表面と第２の表面との間に完全に延在する。このような不連続部は、例えば、プレートを貫通する孔もしくはスロット、含有物、またはプレートの残りの部分とは異なる材料特性を有する他の任意の種類の領域を含んでもよい。しかしながら、図示の例では、不連続部２７０は、線Ｘ−Ｘに沿ったプレート２３５’の部分断面図である図２Ｃ（ｉｉ）に示すように、プレート２３５’の第１の表面と第２の表面との間に完全には延在しない。
【００７０】
図示の例では、プレート２３５’はガラスを含み、不連続部２７０はレーザー彫刻によって形成される。例の構造として使用するのに適したレーザー彫刻された不連続部は、不連続部２７０の領域にわたって材料中に多くの小さな空隙を含んでもよい。不連続部２７０の形態は、プレートの厚さに平行なその長さが、伝播方向に垂直な方向のその長さと同様に、第２の縁部２６０ｂの長さよりもわずかに短い点を除いて、図２Ｂの第２の縁部２６０ｂの形態と同じである。しかしながら、少なくとも一部の例では、プレートの厚さに平行な不連続部２７０の長さは、それにもかかわらず、プレートの厚さに実質的に等しいと考えられてもよく、伝播方向に垂直な方向の不連続部２７０の長さは、それにもかかわらず、伝播方向に垂直な方向のプレートの長さに実質的に等しいと考えられてもよい。不連続部２７０の波形形状は、第２の縁部２６０ｂの波形形状と同じ特徴を有する。一部の例では、不連続部２７０はまた、伝播方向に無視できない厚さを有してもよく、これは、不連続部２７０を形成するために使用される技術に依存し得る。この厚さは、一般に不連続部２７０の吸収／散乱機能に影響を及ぼさない。
【００７１】
図２Ｄは、さらなる例示的な吸収構造を示す。図２Ｄは、プレート２３５がプレート２３５’’に置き換えられた図２Ｂのシステムを示す。プレート２３５’’の第２の縁部２６０ｂ’’は、特別な構造を有さない通常のプレート縁部（すなわち、所与の実施態様で使用されている特定の材料の種類のプレート用の標準的な製造プロセスからもたらされる縁部）である。
【００７２】
プレート２３５’’は、第２の縁部２６０ｂ’’の近くに吸収構造を含む。吸収構造は、プレートの塊体における複数の孔２８０の形態を有する。各孔２８０は、実質的に第１の表面と第２の表面との間に延在する。一部の例（特定の図示の例を含む）では、孔２８０は、第１の表面と第２の表面との間に完全に延在する。しかしながら、孔が第１の表面と第２の表面との間に完全には延在しない（したがってプレート材料中の空隙を含む）他の例も可能である。一部の例では、孔には、プレート材料とは異なる特性を有する材料が充填されてもよい。プレート材料がガラスである例では、孔には、エポキシ材料が充填されてもよい。
【００７３】
孔２８０は、第２の縁部２６０ｂ’の近傍に所定のパターンで配置される。孔２８０は、上述の波形構造２６０ｂおよび２７０と同様に、孔２８０に入射する超音波エネルギーの少なくとも一部を（例えば散乱によって）吸収するように配置されてもよい。それによって、孔２８０は、孔２８０がない状況と比較して、第２の縁部２６０ｂ’’によって伝播方向とは反対の方向に反射して戻る入射超音波エネルギーの量を低減するように構成されてもよい。
【００７４】
孔２８０によって吸収される入射超音波エネルギーの量（したがって、トランスデューサに向かって反射して戻る入射超音波エネルギーの量）は、孔２８０の厳密な形状、サイズ、および配置に依存する。したがって、この量は、孔２８０の様々なパラメータの値を設定することによって選択または制御され得る。孔２８０の制御可能なパラメータは、図２Ｅに示されており、第２の縁部２６０ｂ’’と第２の縁部の近傍の孔との間の距離Ａ、伝播方向に隣り合う孔の中心間の距離Ｂ、側縁部とその側縁部の近傍の孔の中心との間の距離Ｃ、最も近くの隣り合った孔（第２の縁部から同じ距離になくてもよい）の中心間の、伝播方向に垂直な方向における距離である距離Ｄ、第２の縁部から同じ距離にある隣り合う孔の中心間の、伝播方向に垂直な方向における距離である距離Ｅ、および孔の直径Ｆを含む。
【００７５】
孔２８０のパラメータは、所定量の入射超音波エネルギーが孔２８０によって吸収される（例えば散乱されることによって）ように、および／またはプレート内における進行超音波に対する定在超音波の所定の比を達成するように設定されてもよい。
【００７６】
孔２８０は、任意の所与の実施態様においてプレート２３５’’を構成する種類の材料を正確に切断するのに適した任意の既知の切断技術を使用してプレート２３５’’の縁部を切断することによって形成されてもよい。
【００７７】
一部の例では、トランスデューサ２６０は、上で言及したように、第１の縁部に向かって副伝播方向に伝播する超音波を発生するように構成される。一部のこのような例では、少なくとも１つの増幅構造が、第１の縁部にまたはその近くに設けられ配置されてもよい。このような増幅構造は、少なくとも１つの増幅構造がない場合に伝播するであろう反射超音波エネルギーの量と比較して、副伝播方向とは反対の方向に伝播する反射超音波エネルギーの量を増大させるように構成されてもよい。
【００７８】
図３は、第１の表面３３０、第１の表面とは反対側を向いた第２の表面（見えない）、および第１の表面と第２の表面との間に延在する少なくとも１つの縁部３６０によって画定された塊体を有するプレート３３５を備える例示的なシステムを示す。少なくとも１つの縁部３６０は、第１の縁部３６０ａと、第１の縁部３６０ａとは反対側にある第２の縁部３６０ｂと、一対の互いに対向する側縁部３６０ｃおよび３６０ｄとを含む。プレート３３５は、上述の例示的なプレートの特徴のうちのいずれかを有してもよい。第２の縁部３６０ｂは、図２Ａ〜図２Ｅに関連して上述した吸収構造のいずれかなどの吸収構造を備えてもよいが、必ずしも備えなくてもよい。
【００７９】
このシステムは、プレートから流体の液滴３５０を超音波で除去するための装置をさらに備える。この装置は、プレートに結合された３つのトランスデューサ３００ａ〜３００ｃであって、３つのトランスデューサ３００ａ〜３００ｃの各々が、プレート３３５を通って伝播する超音波を発生するように動作可能である３つのトランスデューサ３００ａ〜３００ｃと、超音波駆動信号を３つのトランスデューサ３００ａ〜３００ｃに提供するための発生器（図示せず）とを備える。この装置は、トランスデューサ３００ａ〜３００ｃの特定の配置を除いて、上述の図２Ａの装置と同じ特徴を有する。トランスデューサ３００ａ〜３００ｃは、伝播方向３４０ａ〜３４０ｃにプレート３３５を通って伝播する超音波を発生するように構成される。トランスデューサ３００ａおよび３００ｃは、トランスデューサ３００ａ〜３００ｃによって発生される超音波がプレート３３５の中央領域に集束するようにプレート３３５の中心に対向するように傾けられる。
【００８０】
トランスデューサ３００ａ〜３００ｃの各々は、主伝播方向３４０ａ〜３４０ｃにプレート３３５を通って伝播する超音波を発生し、また、トランスデューサ３００と第１の縁部３６０ａとの間の領域において主伝播方向とは反対の副伝播方向３７５ａ〜３７５ｃにプレート３３５を通って伝播する波を発生するように構成される。この装置は、上述の例示的な装置の特徴のうちのいずれかを有してもよい。
【００８１】
プレート３３５は、副伝播方向３４０ｂに伝播する、トランスデューサ３００によって発生される超音波の経路内に配置される少なくとも１つの増幅構造を備える。少なくとも１つの増幅構造は、副伝播方向３４０ｂとは反対の方向に伝播する所定量の超音波エネルギーを達成するためにプレート内の超音波の伝播を制御するように構成される。図示の例では、少なくとも１つの増幅構造のうちの第１の増幅構造３７５ｂは、第１の縁部３６０ａに含まれ、第１の縁部３６０ａは、入射超音波の所定の部分を反射するように構成される形状を有する。さらなる増幅構造３７５ａおよび３７５ｃは、トランスデューサ３００ａおよび３００ｃから副方向３４５ａおよび３４５ｃに伝播する超音波の経路内に設けられる。さらなる増幅構造の各々は、実質的に第１の表面と第２の表面との間に延在する不連続部を備え、図２Ｃの不連続部２７０と同等のまたは同様の種類のものであってもよい。
【００８２】
図示の例では、第１の縁部３６０ａは平坦である。特に、第１の縁部３６０ａは、プレート３３５が形成される種類の材料に対する標準的な切断技術によって形成される通常の縁部よりも著しく平坦である。第１の縁部３６０ａは、プレート３３５の第１の表面および第２の表面の各々に垂直である。プレート表面に垂直な極めて平坦な縁部を設けることにより、第１の縁部３６０ａによってトランスデューサ３００に向かって反射して戻る入射超音波エネルギーの量は増大し得る。第１の縁部３６０ａによって反射される超音波エネルギーの量を増大させることは好適であり得る。なぜなら、この反射された超音波エネルギーは、主伝播方向に伝播する超音波（プレートから流体の液滴を除去するために使用される超音波である）の振幅（したがってエネルギー）を増大させるように、トランスデューサによって主伝播方向３４０ａに放射された超音波と建設的に干渉し得るからである。同様に、不連続部３７５ａおよび３７５ｃは、著しい量の入射超音波エネルギーを反射するように平坦であってもよく、プレート３３５の第１の表面および第２の表面の各々に垂直であってもよい。不連続部３７５ａは、副伝播方向３４５ａに垂直であり、不連続部３７５ｃは、副伝播方向３４５ｃに垂直である。
【００８３】
トランスデューサ３００ｂと第１の縁部３６０ａとの間の距離は、このような建設的干渉を保証するように設定されてもよい。したがって、この距離の最適値は、トランスデューサ３００ａによって放射される超音波の特定の波長および周波数に依存する。トランスデューサ３００ｂと第１の縁部３６０ａとの間の距離（および／または第１の縁部３６０ａの形態の任意の他のパラメータは、第１の縁部３６０ａが所定量の入射超音波エネルギーを反射するように構成されるよう設定されてもよい。反射される入射超音波エネルギーの所定量は、少なくとも１つの増幅構造によって反射された超音波と、１つ以上のトランスデューサと第２の縁部との間で主伝播方向にプレート内を伝播する、１つ以上のトランスデューサによって発生された波との建設的干渉を達成するように設定されてもよい。反射される入射超音波エネルギーの所定量は、１つ以上のトランスデューサと第２の縁部との間で主伝播方向にプレート内を伝播する所定の振幅の波を達成するように設定されてもよい。トランスデューサ３００ａおよび３００ｃと不連続部３７５ａおよび３７５ｃとの間の距離はそれぞれ、同様のまたは同等の考えに基づいて設定されてもよく、一部の例ではトランスデューサ３００ｂと第１の縁部３６０ａとの間の距離と同じであってもよい。
【００８４】
第１の縁部３６０ａは、プレートの上面と下面との間に完全に延在する、プレートの塊体における平面状の不連続部であると考えられてもよい。代替例では、第１の縁部７６０ａの代わりにまたはこれに加えて、第１の縁部３６０ａと同様のまたは同等の効果をもたらすために、さらなる増幅構造３７５ａ、３７５ｃと同等のまたは同様の種類の増幅構造が設けられてもよい。
【００８５】
１つ以上のトランスデューサによって発生される超音波の伝播方向とは反対の方向に伝播する所定量の超音波エネルギーを達成するためにプレート内の超音波の伝播を制御するように構成される、１つ以上のトランスデューサによって発生される超音波の経路内に配置される構造が、プレート内を伝播する超音波の伝播方向を変えるために使用されてもよい。プレート内を伝播する超音波の伝播方向を変えるように構成される構造はガイド構造であると考えられてもよい。
【００８６】
図３のプレート３３５は、トランスデューサ３００ａ〜３００ｃによって発生される超音波の経路内に配置された少なくとも１つのガイド構造を備える。少なくとも１つのガイド構造は、例えば、伝播方向３４０ａ〜３４０ｃのうちの１つ以上とは反対の方向に伝播する所定量の超音波エネルギーを達成するためにプレート内の超音波の伝播を制御することによって、プレート３３５内を伝播する超音波の伝播方向を変えるように構成される。図示の例では、１つ以上のガイド構造は、第２の縁部３６０ｂの近くに配置された３つのガイド構造３７０ａ〜３７０ｃを備える。ガイド構造３７０ａ〜３７０ｃの各々は、実質的に第１の表面と第２の表面との間に延在する不連続部を備え、図２Ｃの不連続部２７０と同等のまたは同様の種類のものであってもよい。しかしながら、不連続部３７０ａ〜３７０ｃは、著しい量の入射超音波エネルギーを反射するように平坦であってもよい。
【００８７】
不連続部３７０ａおよび３７０ｃは、不連続部３７０ａおよび３７０ｃによって反射された超音波がプレート３３５の中央領域に集束するようにプレートの中心に対向するように傾けられる。不連続部３７０ａ〜３７０ｃは、それぞれトランスデューサ３００ａ〜３００ｃに対向し、それぞれ伝播方向３４０ａ〜３４０ｃに垂直である。これにより、不連続部３７０ａ〜３７０ｃは、出て行く超音波および反射された超音波をプレート３３５の中央領域に集束させるようにトランスデューサ３００ａ〜３００ｃと協働する。これにより、この中央領域内を伝播する超音波の振幅（したがってエネルギー）を、近傍の領域内を伝播する超音波の振幅（したがってエネルギー）に比べて増大させるように、この中央領域に建設的干渉が生じ得る。これにより、中央領域における液滴除去の効率を高めることができる。
【００８８】
図４は、第１の表面、第１の表面とは反対側を向いた第２の表面、および第１の表面と第２の表面との間に延在する少なくとも１つの縁部によって画定された塊体を有するプレートから流体を除去する例示的な方法４００を示すフローチャートである。プレートは、例えば、上述の例示的なプレートのうちのいずれかであってもよく、流体は、上記の例のいずれかで説明した流体の特徴のいずれかを有してもよい。本方法の特定の例では、プレートは工作機械の窓を含み、流体は切削流体である。
【００８９】
第１のブロック４０１では、プレートに結合された１つ以上の超音波トランスデューサを使用してプレート内に超音波が発生される。１つ以上の超音波トランスデューサは、上述の例示的なトランスデューサの特徴のいずれかまたはすべてを有し得る。超音波は、上記の例のいずれかで説明した超音波の特徴のいずれかまたはすべてを有し得る。超音波は、発生された超音波がプレート内を伝播方向に伝播するように発生され得る。
【００９０】
第２のブロック４０２では、プレート内の超音波の伝播が、伝播方向とは反対の方向に伝播する所定量の超音波エネルギーを達成するように制御される。この制御は、例えば、超音波の経路内に配置される１つ以上の構造を設けることによって達成され得る。このような構造は、例えば、吸収構造、ガイド構造、および／または増幅構造を含み得る。このような構造は、図２〜図３に関連して上述した例示的な構造のうちのいずれかを含み得る。この制御により、プレートの表面から液滴を除去する効率が増大し得る。
【００９１】
一部の例では、方法４００は、流体の液滴がプレートの表面を横切って推進される任意選択のブロックを含んでもよい。プレートの表面を横切って液滴を推進することは、上述の方法のうちのいずれかで行われ得る。プレートの表面を横切って液滴を推進することは、プレートの表面からの液滴の除去をもたらし得るかまたはこれに寄与し得る。プレートの表面を横切って液滴を推進することは、ブロック４０２で実行される制御によって支援または促進され得る。
【００９２】
図５は、工作機械の窓に設置された本発明の除去装置を概略的に示す。
【００９３】
図５の例は、工作機械の窓５３０の外周領域に取り付けられた複数のトランスデューサ５１０を示す。トランスデューサ５１０は、窓表面に結合されて窓表面を横切って伝播する超音波５２０を放射するように駆動される。この例における伝播の方向は、トランスデューサ電極に垂直な方向である。窓の表面上の液滴５４０は、本明細書に記載の方法に従って、例えば振動、推進、および／または霧化により除去され得る。トランスデューサは、超音波が窓表面全体を横切って伝播し得るように窓の縁部に沿って直線的に配置されてもよい。トランスデューサのこの取り付け位置は、液滴が窓表面のすべての領域から除去されることを可能にする。トランスデューサは、工作機械の操作者のために遮るもののない窓の視界を可能にするように窓に取り付けられる。図示の例では、トランスデューサは、窓の上部に取り付けられている。トランスデューサは、窓の外周の他の位置にあってもよい。
【００９４】
上述の本発明の例は、回転ディスクよりもはるかに大きな窓の使用を可能にする。この例には、回転ディスクとは異なり、機械的に動く部分がない。
【００９５】
上述の本発明の例は、窓が固定される（すなわち、窓が回転しない）ことからより簡単に窓を工作機械ハウジングにシールすることを可能にする。
【００９６】
窓は任意の適切な形状のものであってもよい。
【００９７】
上述した例は、主に工作機械の窓から切削流体を除去する文脈で提示されたが、この例は、プレートから流体を除去することが望まれる任意の他の文脈でも実施され得る。特に、プレートが乗り物の窓（フロントガラス、リヤウインドウ、またはサイドウインドウなど）であり、流体が雨または別の形態の降水である例が想定される。別の例では、プレートは、オートバイのバイザーであり、流体は、雨または別の形態の降水である。
【００９８】
先の説明は、説明された原理の例を示し説明するために提示された。この説明は、網羅的であることまたはこれらの原理を開示されたまさにその形態に限定することを意図していない。上記の教示に照らして、多くの修正形態および変形形態が可能である。
【図１】
2019531201.tif 000003
【図２Ａ】
2019531201.tif 000004
【図２Ｂ】
2019531201.tif 000005
【図２Ｃ】
2019531201.tif 000006
【図２Ｄ】
2019531201.tif 000007
【図２Ｅ】
2019531201.tif 000008
【図３】
2019531201.tif 000009
【図４】
2019531201.tif 000010
【図５】
2019531201.tif 000011
【国際調査報告】
2019531201.tif 000012
2019531201.tif 000013